(57)【要約】      （修正有）【課題】SIMカードの活線挿抜を防止できるようにした情報処理装置を提供する。【解決手段】取出し部２０１は、格納部材を格納するＳＩＭトレイ２１を取出し、取出し検出部７２は、前記取出し部２０１によりＳＩＭトレイ２１が取出される前に、ＳＩＭトレイ２１の取出し開始の動作を検出する。さらに前記格納部材への電源供給を制御する電源制御部を備え、前記電源制御部は前記取出し検出部７２により前記ＳＩＭトレイ２１の取出し開始の動作が検出された場合、前記格納部材への電源供給を停止する。【選択図】図１３
2012242949.tif 000002
【特許請求の範囲】
【請求項１】
格納部材を格納するトレイを取出す取出し部と、
前記取出し部により前記トレイが取出される前に、前記トレイの取出し開始の動作を検出する取出し検出部と
を備える情報処理装置。
【請求項２】
前記格納部材への電源供給を制御する電源制御部をさらに備え、
前記電源制御部は、前記取出し検出部により前記トレイの取出し開始の動作が検出された場合、前記格納部材への電源供給を停止する
請求項１に記載の情報処理装置。
【請求項３】
前記トレイが挿入されたことを検出するトレイ検出部をさらに備え、
前記電源制御部は、前記トレイ検出部により前記トレイが挿入されたことが検出された場合、前記格納部材への電源供給を開始する
請求項２に記載の情報処理装置。
【請求項４】
前記取出し検出部および前記トレイ検出部の検出結果に基づいて、取出し信号を出力する検出判定部をさらに備え、
前記検出判定部は、前記取出し検出部により前記トレイの取出し開始の動作が検出されず、且つ前記トレイ検出部により前記トレイが挿入されたことが検出された場合、第1のレベルの前記取出し信号を出力し、
前記電源制御部は、前記検出判定部により出力された前記取出し信号が前記第1のレベルである場合、前記格納部材への電源供給を開始する
請求項３に記載の情報処理装置。
【請求項５】
前記検出判定部は、前記取出し検出部により前記トレイの取出し開始の動作が検出された場合、および前記取出し検出部により前記トレイの取出し開始の動作が検出されず、且つ前記トレイ検出部により前記トレイが挿入されたことが検出されなかった場合、第２のレベルの前記取出し信号を出力し、
前記電源制御部は、前記検出判定部により出力された前記取出し信号が前記第２のレベルである場合、前記格納部材への電源供給を停止する
請求項４に記載の情報処理装置。
【請求項６】
格納部材を格納するトレイを取出す取出しステップと、
前記取出しステップの処理により前記トレイが取出される前に、前記トレイの取出し開始の動作を検出する取出し検出ステップと
を含む情報処理方法。
【請求項７】
コンピュータに、
格納部材を格納するトレイを取出す取出しステップと、
前記取出しステップの処理により前記トレイが取出される前に、前記トレイの取出し開始の動作を検出する取出し検出ステップと
を実行させるためのプログラムを記録したコンピュータ読み取り可能な記録媒体。
【請求項８】
コンピュータに、
格納部材を格納するトレイを取出す取出しステップと、
前記取出しステップの処理により前記トレイが取出される前に、前記トレイの取出し開始の動作を検出する取出し検出ステップと
を実行させるためのプログラム。
【発明の詳細な説明】
【技術分野】
【０００１】
本技術は情報処理装置および方法、記録媒体、並びにプログラムに関し、特に、SIMカードの活線挿抜を防止するようにした情報処理装置および方法、記録媒体、並びにプログラムに関する。
【背景技術】
【０００２】
携帯電話機等には、電話番号を特定するため固有の情報を記録したSIM（Subscriber Identity Module）カードが装着されている。
【０００３】
ユーザはSIMカードを挿抜することで、複数の携帯電話機で電話番号を共有したり、１つの携帯電話機で複数の電話番号を切替えて使用したりすることができる。
【０００４】
携帯電話機に対してSIMカードを挿抜する場合、挿抜する前にSIMカードの電源供給を停止する必要がある。そのため多くの携帯電話機は、電池を取り外してからSIMカードを挿抜する構成になっている。
【０００５】
図１は、従来の携帯電話機５０１の例を示す図である。図１Ａには、携帯電話機５０１と電池５２１が示されている。携帯電話機５０１の電池５２１の下側には、SIMカードが接続されるSIMコネクタが配置される。
【０００６】
例えば、図１Ｂに示されるように、携帯電話機５０１−１の電池５２１の下側に、SIMコネクタ５２２−１の挿入口５２２−１Aが配置される。ユーザは、SIMカードを挿入口５２２−１AからSIMコネクタ５２２−１に差し込み、携帯電話機５０１−１を使用する。
【０００７】
また、図１Ｃに示す例では、携帯電話機５０１−２の電池５２１の下側に、SIMコネクタ５２２−２が配置されている。ユーザは、SIMカードをSIMコネクタ５２２−２の上からはめ込み、携帯電話機５０１−２を使用する。
【０００８】
しかし、電池５２１を取り外してSIMカードが挿抜される携帯電話機５０１では、頻繁にSIMカードを挿抜する場合、ユーザが挿抜する度に電池５２１を取り外す必要があり、不便であった。
【０００９】
電池を取り外さずにSIMカードを挿抜する携帯電話機も提案されている（例えば、特許文献１参照）。
【００１０】
特許文献１の例では、非通話時、２つ折りの状態とされ、通話時、開放される２つのケースのうちの一方の端面であって、開放時、他方のケースの端面と接触する面の挿入口からSIMカードが挿抜される。
【先行技術文献】
【特許文献】
【００１１】
【特許文献１】特開平６−２５２９９１号公報
【発明の開示】
【発明が解決しようとする課題】
【００１２】
しかし、特許文献１の発明では、SIMカードに対する電源供給が停止されずにSIMカードが挿抜される、すなわち活線挿抜されるおそれがあった。
【００１３】
本技術は、このような状況に鑑みてなされたものであり、SIMカードの活線挿抜を防止できるようにするものである。
【課題を解決するための手段】
【００１４】
本技術の一側面の情報処理装置は、格納部材を格納するトレイを取出す取出し部と、前記取出し部により前記トレイが取出される前に、前記トレイの取出し開始の動作を検出する取出し検出部とを備える。
【００１５】
前記格納部材への電源供給を制御する電源制御部をさらに備え、前記電源制御部は、前記取出し検出部により前記トレイの取出し開始の動作が検出された場合、前記格納部材への電源供給を停止することができる。
【００１６】
前記トレイが挿入されたことを検出するトレイ検出部をさらに備え、前記電源制御部は、前記トレイ検出部により前記トレイが挿入されたことが検出された場合、前記格納部材への電源供給を開始することができる。
【００１７】
前記取出し検出部および前記トレイ検出部の検出結果に基づいて、取出し信号を出力する検出判定部をさらに備え、前記検出判定部は、前記取出し検出部により前記トレイの取出し開始の動作が検出されず、且つ前記トレイ検出部により前記トレイが挿入されたことが検出された場合、第1のレベルの前記取出し信号を出力し、前記電源制御部は、前記検出判定部により出力された前記取出し信号が前記第1のレベルである場合、前記格納部材への電源供給を開始することができる。
【００１８】
前記検出判定部は、前記取出し検出部により前記トレイの取出し開始の動作が検出された場合、および前記取出し検出部により前記トレイの取出し開始の動作が検出されず、且つ前記トレイ検出部により前記トレイが挿入されたことが検出されなかった場合、第２のレベルの前記取出し信号を出力し、前記電源制御部は、前記検出判定部により出力された前記取出し信号が前記第２のレベルである場合、前記格納部材への電源供給を停止することができる。
【００１９】
本技術の一側面の情報処理方法は、格納部材を格納するトレイを取出す取出しステップと、前記取出しステップの処理により前記トレイが取出される前に、前記トレイの取出し開始の動作を検出する取出し検出ステップとを含む。
【００２０】
本技術の一側面の記録媒体、またはプログラムは、コンピュータに、格納部材を格納するトレイを取出す取出しステップと、前記取出しステップの処理により前記トレイが取出される前に、前記トレイの取出し開始の動作を検出する取出し検出ステップとを実行させるためのプログラムを記録したコンピュータ読み取り可能な記録媒体、またはプログラムである。
【００２１】
本発明の一側面においては、格納部材を格納するトレイが取出され、トレイが取出される前に、前記トレイの取出し開始の動作が検出される。
【発明の効果】
【００２２】
本技術の側面によれば、SIMカードの活線挿抜を防止することが可能になる。
【図面の簡単な説明】
【００２３】
【図１】従来の携帯電話機の例を示す図である。
【図２】本技術のパーソナルコンピュータの構成を示す斜視図である。
【図３】本技術のパーソナルコンピュータのハードウェアの構成例を示すブロック図である。
【図４】本技術のSIMトレイ検出システムの一実施の形態の構成を示すブロック図である。
【図５】SIMトレイとSIMカードの配置の例を示す図である。
【図６】SIMトレイ検出部の概略の構成例を示す図である。
【図７】SIMコネクタの構成例を示す図である。
【図８】SIMトレイ検出処理を説明するフローチャートである。
【図９】SIMトレイの挿入の例を示す図である。
【図１０】SIMカード検出処理を説明するフローチャートである。
【図１１】情報提供処理を説明するフローチャートである。
【図１２】取出し検出処理を説明するフローチャートである。
【図１３】SIMトレイの取出しの例を示す図である。
【図１４】取出し検出処理を説明するフローチャートである。
【図１５】本技術のSIMトレイ検出システムの他の実施の形態の構成を示すブロック図である。
【図１６】検出判定回路の例を示す図である。
【図１７】電源供給処理を説明するフローチャートである。
【図１８】SIM取出し信号の出力を説明する図である。
【発明を実施するための最良の形態】
【００２４】
以下、本技術を実施するための形態（以下、実施の形態という）について説明する。なお、説明は以下の順序で行う。
（１）第１の実施の形態
１．パーソナルコンピュータの構成
２．SIMトレイ検出システムの構成
３．SIMカード検出処理
４．取出し検出処理
（２）第２の実施の形態
５．SIMトレイ検出システムの構成
６．電源供給処理
７．その他
【００２５】
＜第１の実施の形態＞
【００２６】
［パーソナルコンピュータの構成］
【００２７】
図２は、本技術のパーソナルコンピュータ１の構成を示す斜視図である。パーソナルコンピュータ１は、下側筐体３に対して回動自在とされる上側筐体２の内側にディスプレイ（図示せず）が設けられている。
【００２８】
また、下側筐体３の上面には、複数のキー５が配置されている。パーソナルコンピュータ１の後側の端面４の穴６には、格納部材としてのSIMカードが格納されたSIMトレイ２１が挿入されている。
【００２９】
ユーザが、SIMトレイ２１の穴３０１にピン３２１を差し込むことで、SIMトレイ２１の一部がパーソナルコンピュータ１の下側筐体３の端面４から飛び出す。
【００３０】
ユーザは、飛び出したSIMトレイ２１の一部をさらに引き出した状態にして、SIMトレイ２１に格納されているSIMカードを取出すことができる。
【００３１】
図３は、本技術を適用したパーソナルコンピュータ１のハードウェアの構成例を示すブロック図である。
【００３２】
パーソナルコンピュータ１において、SIMトレイ検出部２２、通信モジュール２３、CPU（Central Processing Unit）２４，ROM（Read Only Memory）２５、およびRAM（Random Access Memory）２６は、バス２７により相互に接続されている。
【００３３】
SIMトレイ検出部２２は、挿入されたSIMトレイ２１を検出するとともに、SIMトレイ２１に格納されたSIMカード５１と電気的に接続し、SIMカード５１を駆動させる。
【００３４】
パーソナルコンピュータ１のうち、SIMトレイ２１、SIMトレイ検出部２２、通信モジュール２３、およびCPU２４によりSIMトレイ検出システム１１が構成される。SIMトレイ検出システム１１の詳細は、図４を参照して後述する。
【００３５】
バス２７には、さらに、入出力インタフェース２８が接続されている。入出力インタフェース２８には、入力部２９、出力部３０、記憶部３１、通信部３２、およびドライブ３３が接続されている。
【００３６】
入力部２９は、キーボード、マウス、マイクロフォンなどにより構成される。出力部３０は、ディスプレイ、スピーカなどにより構成される。記憶部３１は、ハードディスクや不揮発性のメモリなどにより構成される。
【００３７】
通信部３２は、ネットワークインタフェースなどにより構成される。ドライブ３３は、磁気ディスク、光ディスク、光磁気ディスク、或いは半導体メモリなどのリムーバブルメディア３４を駆動する。
【００３８】
以上のように構成されるパーソナルコンピュータ１においては、CPU２４が、例えば、記憶部３１に記憶されているプログラムを、入出力インタフェース２８及びバス２７を介して、RAM２６にロードして実行することにより、各種の処理が行われる。
【００３９】
CPU２４が実行するプログラムは、例えば、パッケージメディア等としてのリムーバブルメディア３４に記録して提供される。
【００４０】
なお、パッケージメディアとしては、磁気ディスク（フレキシブルディスクを含む）、光ディスク（CD-ROM（Compact Disc-Read Only Memory），DVD（Digital Versatile Disc）等）、光磁気ディスク、もしくは半導体メモリなどが用いられる。
【００４１】
また、プログラムは、ローカルエリアネットワーク、インターネット、デジタル衛星放送といった、有線または無線の伝送媒体を介して提供することができる。
【００４２】
パーソナルコンピュータ１においては、プログラムは、リムーバブルメディア３４をドライブ３３に装着することにより、入出力インタフェース２８を介して、記憶部３１にインストールすることができる。
【００４３】
また、プログラムは、有線または無線の伝送媒体を介して、通信部３２で受信し、記憶部３１にインストールすることができる。その他、プログラムは、ROM２５や記憶部３１に、あらかじめインストールしておくことができる。
【００４４】
なお、パーソナルコンピュータ１が実行するプログラムは、本明細書で説明する順序に沿って時系列に処理が行われる処理であっても良いし、並列に、あるいは呼び出しが行われたとき等の必要なタイミングで処理が行われるプログラムであっても良い。
【００４５】
［SIMトレイ検出システムの構成］
【００４６】
図４は、本技術のSIMトレイ検出システム１１の一実施の形態の構成を示す図である。
【００４７】
図４のSIMトレイ検出システム１１は、SIMトレイ２１、SIMトレイ検出部２２、通信モジュール２３、およびCPU２４から構成されている。
【００４８】
SIMトレイ２１は、SIMカード５１を格納できるように構成される。SIMカード５１は、取得部６１、通信部６２、および記憶部６３を有している。なおSIMカード５１の各ブロックは、必要に応じて相互に信号、データを授受することが可能とされている。
【００４９】
取得部６１は、各種の情報を取得する。通信部６２は、各種の情報を通信する。記憶部６３は、SIMカード情報を記憶する。
【００５０】
図５を参照して、SIMトレイ２１とSIMカード５１について説明する。
【００５１】
図５は、SIMトレイ２１とSIMカード５１の配置の例を示している。図５Ａは、SIMカード５１を格納したSIMトレイ２１の平面図を示している。図５Ｂは、SIMカード５１を格納したSIMトレイ２１の底面図を示している。
【００５２】
図５Ａに示されるように、SIMトレイ２１は、穴３０１、スイッチ接触部３０２、および凸部３０３を有している。
【００５３】
SIMトレイ２１の正面２１Aの右側に形成された穴３０１は、図２のピン３２１が挿入されるものであり、破線で示されている。
【００５４】
SIMトレイ２１の正面２１Aから最も離れた奥側に形成されたスイッチ接触部３０２は、図６を参照して後述するトレイ検出部７３のSIMトレイ接触部１４１と接触する。
【００５５】
凸部３０３は、図６を参照して後述するSIMコネクタ７１の取出し部２０１と接触する。
【００５６】
SIMカード５１は、SIMトレイ２１の底面側にはめ込められる。このため、SIMトレイ２１の底面にはSIMカード５１の外形に沿った取付部２１Bが形成されている。
【００５７】
なお、SIMトレイ２１にSIMカード５１を格納する方法は、はめ込む以外の他の方法を用いることもできる。
【００５８】
図５Ｂに示されるように、SIMカード５１がSIMトレイ２１に装着されると、端子３６１−１乃至３６１−６がSIMトレイ２１の切欠部２１Cから露出する。
【００５９】
端子３６１−１乃至３６１−６は、図７を参照して後述するSIMコネクタ７１の端子２０２−１乃至２０２−６のそれぞれと接続する。
【００６０】
図４に戻り、SIMトレイ検出部２２は、SIMコネクタ７１、取出し検出部７２、およびトレイ検出部７３から構成されている。図６を参照して、SIMトレイ検出部２２について説明する。
【００６１】
図６は、SIMトレイ検出部２２の概略の構成例を示す図である。SIMコネクタ７１、取出し検出部７２、およびトレイ検出部７３は、図６に示されるように配置されている。
【００６２】
すなわち、SIMコネクタ７１に装着されたSIMトレイ２１の右側（図６においては左側）の穴３０１に挿入されたピン３２１が移動する位置に取出し検出部７２が配置されている。
【００６３】
また、SIMトレイ２１のスイッチ接触部３０２が当接する位置にSIMトレイ検出部７３が配置されている。
【００６４】
SIMコネクタ７１は、取出し部２０１、および端子２０２を有している。図７を参照して、SIMコネクタ７１について説明する。
【００６５】
図７は、SIMコネクタ７１の構成例を示す図である。SIMコネクタ７１は、取出し部２０１、および端子２０２−１乃至２０２−６を有している。SIMコネクタ７１には、図５のSIMトレイ２１が、スイッチ接触部３０２の方から矢印２４１の方向に挿入される。
【００６６】
取出し部２０１は、SIMコネクタ７１に設置され、SIMコネクタ７１に挿入されたSIMトレイ２１を取出す。取出し部２０１は、ピン接触部２２１、回転軸２２２、およびSIMトレイ接触部２２３を有している。
【００６７】
取出し部２０１は、ピン接触部２２１またはSIMトレイ接触部２２３が押された場合、回転軸２２２を中心に回動する。取出し部２０１の動作の詳細は、図１３を参照して後述する。
【００６８】
端子２０２−１乃至２０２−６は、SIMコネクタ７１の内側に設置されており、SIMコネクタ７１に挿入されたSIMカード５１の端子３６１−１乃至３６１−６のそれぞれと接続する。
【００６９】
具体的には、端子２０２−１と端子３６１−１とが接続され、端子２０２−２と端子３６１−２とが接続され、端子２０２−３と端子３６１−３とが接続され、端子２０２−４と端子３６１−４とが接続され、端子２０２−５と端子３６１−５とが接続され、端子２０２−６と端子３６１−６とが接続される。
【００７０】
図６に戻り、取出し検出部７２は、ピン接触部１３１、および取出し検出スイッチ１３２から構成される。
【００７１】
ピン接触部１３１は、取出し検出スイッチ１３２の図中上方に配置され、挿入された図２のピン３２１により下方に押されることで、取出し検出スイッチ１３２を押下する。
【００７２】
取出し検出部７２は、取出し検出スイッチ１３２が押下された場合、すなわちオフからオンに切替った場合、取出し検出信号ＨをCPU２４に送信する。
【００７３】
また、取出し検出部７２は、ピン３２１が抜かれ、ピン接触部１３１が図中上方に戻り、取出し検出スイッチ１３２の押下が解除された場合、すなわち取出し検出スイッチ１３２がオンからオフに切替った場合、取出し検出信号ＬをCPU２４に送信する。
【００７４】
トレイ検出部７３は、SIMトレイ接触部１４１、およびSIMトレイ検出スイッチ１４２から構成される。
【００７５】
SIMトレイ接触部１４１は、SIMトレイ検出スイッチ１４２の図中上方に配置され、図５のSIMトレイ２１のスイッチ接触部３０２により下方に押されることで、SIMトレイ検出スイッチ１４２を押下する。
【００７６】
取出し検出部７３は、SIMトレイ検出スイッチ１４２が押下された場合、すなわちオフからオンに切替った場合、SIMトレイ検出信号ＨをCPU２４に送信する。
【００７７】
また、取出し検出部７３は、SIMトレイ２１がSIMコネクタ７１から引き抜かれ、SIMトレイ接触部１４１が上方に戻り、SIMトレイ検出スイッチ１４２の押下が解除された場合、すなわちSIMトレイ検出スイッチ１４２がオンからオフに切替った場合、SIMトレイ検出信号ＬをCPU２４に送信する。
【００７８】
図４に戻り、CPU２４は、プログラムに従って各種の動作を制御する。このプログラムにより、CPU２４は実質的に、取得部１１１、電源制御部１１２、通信部１１３、および判定部１１４の機能ブロックを有している。
【００７９】
なおCPU２４の各ブロックは、必要に応じて相互に信号、データを授受することが可能とされている。
【００８０】
取得部１１１は各種の情報を取得する。電源制御部１１２は、通信モジュール２３を介してSIMコネクタ７１の電源供給を制御する。通信部１１３は各種の情報を通信する。判定部１１４は、各種の判定処理を実行する。
【００８１】
［SIMカード検出処理］
【００８２】
次に、図８乃至図１１を参照して、SIMカード検出処理について説明する。この場合、ユーザはSIMカード５１をSIMトレイ２１に装着し、SIMトレイ２１を穴６の内部に挿入する。
【００８３】
図８は、SIMトレイ検出部２２のSIMトレイ検出処理を説明するフローチャートである。図９は、SIMトレイ２１の挿入の例を示す図である。図１０は、CPU２４のSIMカード検出処理を説明するフローチャートである。図１１は、SIMカード５１の情報提供処理を説明するフローチャートである。
【００８４】
ステップＳ１において、トレイ検出部７３は、SIMトレイ検出スイッチ１４２がオンにされたかを判定する。すなわち、SIMトレイ２１がSIMコネクタ７１に挿入されたかが判定される。
【００８５】
SIMトレイ２１が所定位置まで挿入されると、スイッチ接触部３０２がSIMトレイ検出スイッチ１４２をオンする。
【００８６】
ステップＳ１において、まだSIMトレイ検出スイッチ１４２がオンにされていないと判定された場合、処理はステップＳ２に進む。
【００８７】
ステップＳ２において、トレイ検出部７３は、SIMトレイ検出信号Lを出力する。すなわち、SIMトレイ２１がSIMコネクタ７１に挿入されていないことがCPU２４に通知される。
【００８８】
一方、SIMトレイ２１が所定位置まで挿入されると、ステップＳ１において、SIMトレイ検出スイッチ１４２がオンにされたと判定される。この場合、処理はステップＳ３に進む。
【００８９】
ステップＳ３において、トレイ検出部７３は、SIMトレイ検出信号Ｈを出力する。すなわち、SIMトレイ２１がSIMコネクタ７１に挿入されたことがCPU２４に通知される。
【００９０】
ステップＳ２，Ｓ３の処理の後、処理はステップＳ１に戻り、それ以降の処理が繰り返される。
【００９１】
図９を参照して、SIMトレイ検出スイッチ１４２がオンにされた場合、すなわち、SIMトレイ２１がSIMコネクタ７１に挿入された場合について説明する。
【００９２】
図９に示されるように、SIMトレイ２１がSIMコネクタ７１に挿入されると、SIMトレイ２１の検出スイッチ接触部３０２がトレイ検出部７３のSIMトレイ接触部１４１を下方に押し込み、SIMトレイ検出スイッチ１４２が押下される。
【００９３】
また、SIMトレイ２１がSIMトレイ検出スイッチ１４２が押下される位置まで移動すると、SIMトレイ２１に格納されたSIMカード５１の端子３６１−１乃至３６１−６がSIMコネクタ７１の端子２０２−１乃至２０２−６にそれぞれ接続される。
【００９４】
図１０のステップＳ２１において、CPU２４の判定部１１４は、SIMトレイ検出信号Ｈを取得したかを判定する。すなわち、図８のステップＳ３の処理によりトレイ検出部７３から送信されたSIMトレイ検出信号Ｈが取得部１１１により取得されたかが判定される。
【００９５】
ステップＳ２１において、まだSIMトレイ検出信号Ｈを取得していないと判定された場合、（図８のステップＳ２で出力されたSIMトレイ検出信号Ｌが取得されている場合）処理はステップＳ２１に戻り、同様の処理が繰り返される。
【００９６】
一方、ステップＳ２１において、SIMトレイ検出信号Ｈを取得したと判定された場合、処理はステップＳ２２に進む。
【００９７】
ステップＳ２２において、CPU２４の電源制御部１１２は、SIMコネクタ７１に電源供給を開始する。すなわち、通信モジュール２３を介して、SIMコネクタ７１に電力が供給される。
【００９８】
SIMコネクタ７１に対して電源供給が開始されることで、CPU２４とSIMカード５１との接続が確立される。
【００９９】
ステップＳ２３において、CPU２４の通信部１１３は、SIMカード５１にSIMカード情報の要求を送信する。すなわち、通信モジュール２３およびSIMコネクタ７１を介して、SIMカード５１にSIMカード情報の要求が送信される。
【０１００】
図１１のステップＳ４１において、SIMカード５１の取得部６１は、SIMカード情報の要求を取得する。すなわち、図１０のステップＳ２３の処理によりCPU２４から送信されたSIMカード情報の要求が取得される。
【０１０１】
ステップＳ４２において、SIMカード５１の取得部６１は、SIMカード情報を取得する。すなわち、記憶部６３に記憶されているSIMカード情報が取得される。SIMカード情報は、例えば、SIMカード５１のＩＤ（Identification）、電話番号等とすることができる。
【０１０２】
ステップＳ４３において、SIMカード５１の通信部６２は、CPU２４にSIMカード情報を送信する。すなわち、ステップＳ４２の処理により取得されたSIMカード情報がSIMコネクタ７１および通信モジュール２３を介して、CPU２４に送信される。
【０１０３】
ステップＳ４３の処理の後、SIMカード５１の情報提供処理は終了する。
【０１０４】
図１０に戻り、ステップＳ２４において、CPU２４の判定部１１４は、SIMカード情報を取得したかを判定する。
【０１０５】
ステップＳ２４において、SIMカード情報を取得しなかったと判定された場合、すなわち、SIMカード５１がSIMトレイ２１に格納されていなかった場合、処理はステップＳ２５に進む。
【０１０６】
ステップＳ２５において、CPU２４の電源制御部１１２は、SIMコネクタ７１の電源供給を停止する。
【０１０７】
一方、ステップＳ２４において、SIMカード情報を取得したと判定された場合、およびステップＳ２５の処理の後、CPU２４のSIMカード検出処理は終了する。これにより、CPU２４は、SIMカード５１が挿入されたことを検出することができる。
【０１０８】
［取出し検出処理］
【０１０９】
次に、図１２乃至図１４を参照して、取出し検出処理について説明する。
【０１１０】
図１２は、SIMトレイ検出部２２の取出し検出処理を説明するフローチャートである。図１３は、SIMトレイ２１の取出しの例を示す図である。図１４は、CPU２４の取出し検出処理を説明するフローチャートである。
【０１１１】
SIMトレイ２１を取出すとき、ユーザは穴３０１にピン３２１を挿入する。そこでステップＳ１０１において、取出し検出部７２は、取出し検出スイッチ１３２がオンにされたかを判定する。すなわち、ピン３２１がSIMトレイ２１の穴３０１に挿入されたかが判定される。
【０１１２】
ステップＳ１０１において、まだ取出し検出スイッチ１３２がオンにされていないと判定された場合、ステップＳ１０２において、取出し検出部７２は取出し検出信号Ｌを出力する。その後、処理はステップＳ１０１に戻り、同様の処理が繰り返される。
【０１１３】
一方、ステップＳ１０１において、取出し検出スイッチ１３２がオンにされたと判定された場合、処理はステップＳ１０３に進む。図１３を参照して、ピン３２１がSIMトレイ２１の穴３０１に挿入された場合について説明する。
【０１１４】
図１３に示されるように、ピン３２１がSIMトレイ２１の穴３０１に挿入されると、ピン３２１により、取出し検出部７２のピン接触部１３１が押され、取出し検出スイッチ１３２が押下される。
【０１１５】
図１２に戻り、ステップＳ１０３において、取出し検出部７２は、CPU２４に取出し検出信号Ｈを出力する。すなわち、SIMトレイ２１の取出し開始の動作が検出されたことが、CPU２４に通知される。
【０１１６】
図１４のステップＳ１２１において、CPU２４の判定部１１４は、取出し検出信号Ｈを取得したかを判定する。すなわち、図１２のステップＳ１０３の処理により取出し検出部７２から送信された取出し検出信号Ｈが取得部１１１により取得されたかが判定される。
【０１１７】
ステップＳ１２１において、まだ取出し検出信号Ｈを取得していないと判定された場合、処理はステップＳ１２１に戻り、同様の処理が繰り返される。
【０１１８】
一方、ステップＳ１２１において、取出し検出信号Ｈを取得したと判定された場合、処理はステップＳ１２２に進む。
【０１１９】
ステップＳ１２２において、CPU２４の電源制御部１１２は、SIMコネクタ７１の電源供給を停止する。電源供給を停止することで、CPU２４とSIMカード５１との接続が解除される。
【０１２０】
SIMトレイ２１の穴３０１にピン３２１が挿入されたことが検出されたとき、CPU２４がSIMコネクタ７１に対して電源供給を停止することで、確実にSIMカード５１の活線挿抜を防止することができる。
【０１２１】
図１２に戻り、ステップＳ１０４において、トレイ検出部７３は、SIMトレイ検出スイッチ１４２がオフにされたかを判定する。
【０１２２】
すなわち、SIMトレイ２１が取出され、スイッチ接触部３０２による押圧が解除されて、トレイ検出部７３のSIMトレイ接触部１４１が上方に動いたかが判定される。
【０１２３】
ステップＳ１０４において、まだSIMトレイ検出スイッチ１４２がオフにされていないと判定された場合、ステップＳ１０５において、取出し検出部７２は、取出し検出スイッチ１３２がオフにされたかを判定する。
【０１２４】
すなわち、SIMトレイ２１がSIMコネクタ７１から取出されずに、SIMトレイ２１の穴３０１からピン３２１が抜かれたかが判定される。
【０１２５】
ステップＳ１０５において、まだ取出し検出スイッチ１３２がオフにされていないと判定された場合、処理はステップＳ１０４に戻り、それ以降の処理が繰り返される。
【０１２６】
一方、ステップＳ１０５において、取出し検出スイッチ１３２がオフにされたと判定された場合、すなわち、SIMトレイ２１がSIMコネクタ７１から取出されずに、SIMトレイ２１の穴３０１からピン３２１が抜かれた場合、処理はステップＳ１０６に進む。
【０１２７】
ステップＳ１０６において、取出し検出部７２は、取出し検出信号Ｌを出力する。すなわち、SIMトレイ２１の穴３０１からピン３２１が抜かれたことが、CPU２４に通知される。
【０１２８】
ステップＳ１０６の処理の後、処理はステップＳ１０１に戻り、それ以降の処理が繰り返される。
【０１２９】
図１４のステップＳ１２３において、CPU２４の判定部１１４は、SIMトレイ検出信号Ｌを取得したかを判定する。すなわち、後述する図１２のステップＳ１０７の処理によりSIMトレイ検出信号Ｌが送信されたかが判定される。
【０１３０】
ステップＳ１２３において、まだSIMトレイ検出信号Ｌを取得していないと判定された場合、ステップＳ１２４において、CPU２４の判定部１１４は、取出し検出信号Ｌを取得したかを判定する。
【０１３１】
ステップＳ１２４において、まだ取出し検出信号Ｌを取得していないと判定された場合、処理はステップＳ１２３に戻り、それ以降の処理が繰り返される。
【０１３２】
一方、ステップＳ１２４において、取出し検出信号Ｌを取得したと判定された場合、すなわち、図１２のステップＳ１０３の処理で取出し検出信号Ｈが出力された後、ステップＳ１０６の処理により送信された取出し検出信号Ｌが取得部１１１により取得された場合、処理はステップＳ１２５に進む。
【０１３３】
ステップＳ１２５において、CPU２４の電源制御部１１２は、SIMコネクタ７１の電源供給を開始する。
【０１３４】
すなわち、SIMトレイ２１の穴３０１にピン３２１が挿入されたが、SIMトレイ２１を取出す前にピン３２１が抜かれた場合、再びSIMコネクタ７１に電源電圧が供給される。従って、再びCPU２４とSIMカード５１との接続が確立される。
【０１３５】
ステップＳ１２５の処理の後、処理はステップＳ１２１に戻り、それ以降の処理が繰り返される。
【０１３６】
図１２に戻り、ステップＳ１０４において、SIMトレイ検出スイッチ１４２がオフにされたと判定された場合、すなわち、SIMトレイ２１が取出された場合、処理はステップＳ１０７に進む。
【０１３７】
図１３に示されるように、取出し検出部７２のピン接触部１３１を下方に押し込んだピン３２１が更に挿入されると、ピン３２１は取出し部２０１のピン接触部２２１を図中下方に押し込む。
【０１３８】
ピン３２１により取出し部２０１のピン接触部２２１が下方に押し込まれると、取出し部２０１は回転軸２２２を中心に図中、反時計方向に回動する。
【０１３９】
取出し部２０１が回動することで、取出し部２０１のSIMトレイ接触部２２３が図１３において上方に動き、SIMトレイ２１の凸部３０３を上方に押圧する。
【０１４０】
その結果、SIMトレイ２１は、取出し部２０１により上方に押し出され、パーソナルコンピュータ１の筐体の外側に一部が飛び出す。
【０１４１】
ユーザはピン３２１を穴３０１から抜き出すとともに、飛び出したSIMトレイ２１の一部を摘み、パーソナルコンピュータ１からSIMトレイ２１を取出す。
【０１４２】
また、SIMトレイ２１が取出されることで、SIMトレイ２１のスイッチ接触部３０２がトレイ検出部７３のSIMトレイ接触部１４１から離れる。
【０１４３】
従って、トレイ検出部７３のSIMトレイ接触部１４１は図１３において上方に動き、SIMトレイ検出スイッチ１４２がオンからオフに切替る。
【０１４４】
図１２に戻り、ステップＳ１０７において、トレイ検出部７３は、SIMトレイ検出信号Ｌを出力する。すなわち、SIMトレイ２１が取出されたことが、CPU２４に通知される。
【０１４５】
ステップＳ１０７の処理の後、SIMトレイ検出部２２の取出し検出処理は終了する。
【０１４６】
図１４のステップＳ１２３において、SIMトレイ検出信号Ｌを取得したと判定された場合、すなわち、図１２のステップＳ１０７の処理により送信されたSIMトレイ検出信号Ｌが取得部１１１により取得された場合、CPU２４の取出し検出処理は終了する。
【０１４７】
このように、取出し検出部７２により、SIMトレイ２１の穴３０１にピン３２１が挿入されたことが検出されるので、すなわち取出し部２０１によりSIMトレイ２１が取出される前にSIMトレイ２１の取出し開始の動作が検出されるので、確実に活線挿抜を防止することができる。
【０１４８】
また、SIMカード５１（SIMトレイ２１）の挿抜時に、電池などを外す必要がないので、ユーザが容易にSIMカード５１を挿抜することができる。
【０１４９】
さらに、SIMトレイ検出部２２は、パーソナルコンピュータ１の筐体の任意の位置に設置可能なので、パーソナルコンピュータ１の設計の自由度が増加し、様々な形状、デザインのパーソナルコンピュータ１に適用することができる。
【０１５０】
さらにまた、SIMトレイ２１を取出す場合、ピン３２１を挿入するだけでよいので、蓋などを設置する場合に較べて設置スペースを小さくすることができるとともに、設置されるパーソナルコンピュータ１の剛性を保持することができる。
【０１５１】
＜第２の実施の形態＞
【０１５２】
［SIMトレイ検出システムの構成］
【０１５３】
図１５は、本技術が適用されるSIMトレイ検出システム４１１の他の実施の形態の構成を示す図である。
【０１５４】
図１５のSIMトレイ検出システム４１１のうち、図４のSIMトレイ検出システム１１と対応する要素には同じ符号が付されている。
【０１５５】
すなわち、図１５のSIMトレイ検出システム４１１は、検出判定回路４２１を有する点が図４のSIMトレイ検出システム１１と異なり、他の構成はSIMトレイ検出システム１１と同様である。
【０１５６】
検出判定回路４２１は、取出し検出部７２およびトレイ検出部７３の検出結果に基づいてSIM取出し信号を生成し、CPU２４に出力する。図１６を参照して、検出判定回路４２１について説明する。
【０１５７】
図１６は、検出判定回路４２１の例を示す図である。検出判定回路４２１は、取出し検出スイッチ１３２、SIMトレイ検出スイッチ１４２、出力信号線４４１、電界効果トランジスタ４４２、抵抗４４３、および抵抗４４４から構成される。
【０１５８】
なお、図１６の例では、説明を簡単にするため、検出判定回路４２１が取出し検出スイッチ１３２とSIMトレイ検出スイッチ１４２を有するが、取出し検出スイッチ１３２とSIMトレイ検出スイッチ１４２のそれぞれと同じタイミングでオン、オフが切替るものであれば他の構成を使用することもできる。
【０１５９】
出力信号線４４１および電界効果トランジスタ４４２のドレインには、抵抗４４３を介して電源電圧Ｖが供給される。電界効果トランジスタ４４２のゲートには、抵抗４４４を介して電源電圧Ｖが供給される。
【０１６０】
取出し検出スイッチ１３２のオン、オフが切替ることで、電界効果トランジスタ４４２のゲート電圧が低レベルまたは高レベルになる。
【０１６１】
また、電界効果トランジスタ４４２のゲート電圧が高レベル（すなわち、取出し検出スイッチ１３２がオフ）の場合、SIMトレイ検出スイッチ１４２のオン、オフが切替ることで、出力信号線４４１が低レベルまたは高レベルになる。
【０１６２】
出力信号線４４１は、低レベルまたは高レベルのSIM取出し信号をCPU２４に出力する。
【０１６３】
［電源供給処理］
【０１６４】
図１７と図１８を参照して、電源供給処理について説明する。図１７は、CPU２４の電源供給処理を説明するフローチャートである。図１８は、SIM取出し信号の出力を説明する図である。
【０１６５】
図１７においてステップＳ２０３乃至Ｓ２０６の処理は、図１０のステップＳ２２乃至Ｓ２５の処理に対応する処理である。従って、これらの処理は繰り返しになるので簡単に説明する。
【０１６６】
図１７のCPU２４の電源供給処理は、パーソナルコンピュータ１が起動されたときに開始される。
【０１６７】
ステップＳ２０１において、CPU２４の取得部１１１は、SIM取出し信号を取得する。すなわち、検出判定回路４２１の出力信号線４４１により出力されたSIM取出し信号が取得される。
【０１６８】
ステップＳ２０２において、CPU２４の判定部１１４は、SIM取出し信号が低レベルであるかを判定する。
【０１６９】
すなわち、図１８に示されるように、取出し検出スイッチ１３２がオフ、且つSIMトレイ検出スイッチ１４２がオンの状態（すなわち、SIMトレイ２１がSIMコネクタ７１に挿入された状態）であるかが判定される。
【０１７０】
ステップＳ２０２において、SIM取出し信号が低レベルでないと判定された場合、すなわち、SIM取出し信号が高レベルである場合、処理はステップＳ２０３に進む。
【０１７１】
図１８に示されるように、SIM取出し信号が高レベルになるのは、取出し検出スイッチ１３２がオフ且つSIMトレイ検出スイッチ１４２がオフの状態、または取出し検出スイッチ１３２がオンの状態（すなわち、取出し検出スイッチ１３２がオン且つSIMトレイ検出スイッチ１４２がオンの状態、若しくは取出し検出スイッチ１３２がオン且つSIMトレイ検出スイッチ１４２がオフの状態）のときである。
【０１７２】
すなわち、SIMトレイ２１がSIMコネクタ７１に挿入されていない場合、またはSIMトレイ２１の穴３０１にピン３２１が挿入された場合、SIM取出し信号は高レベルになる。
【０１７３】
ステップＳ２０３において、CPU２４の電源制御部１１２は、SIMコネクタ７１の電源供給を停止する。
【０１７４】
すなわち、SIMコネクタ７１にSIMトレイ２１が挿入されていない状態、またはSIMトレイ２１の穴３０１にピン３２１が挿入された状態である場合、電源電圧の供給が停止される。
【０１７５】
ステップＳ２０３の処理の後、処理はステップＳ２０１に戻り、それ以降の処理が繰り返される。
【０１７６】
なお、ステップＳ２０３の処理において、既にSIMコネクタ７１の電源供給が停止していた場合、ステップＳ２０３の処理はスキップされ、処理はステップＳ２０１に戻るようにすることができる。
【０１７７】
一方、ステップＳ２０２において、SIM取出し信号が低レベルであると判定された場合、すなわち、SIMトレイ２１がSIMコネクタ７１に挿入された場合、処理はステップＳ２０４に進む。
【０１７８】
ステップＳ２０４において、CPU２４の電源制御部１１２は、SIMコネクタ７１の電源供給を開始する。
【０１７９】
なお、ステップＳ２０４の処理において、既にSIMコネクタ７１の電源供給が開始していた場合、ステップＳ２０４乃至Ｓ２０６の処理はスキップされ、処理はステップＳ２０１に戻るようにすることができる。
【０１８０】
ステップＳ２０５において、CPU２４の通信部１１３は、SIMカード５１にSIMカード情報の要求を送信する。
【０１８１】
図１１のステップＳ４１において、SIMカード５１の取得部６１は、SIMカード情報の要求を取得する。ステップＳ４２において、SIMカード５１の取得部６１は、SIMカード情報を取得する。
【０１８２】
ステップＳ４３において、SIMカード５１の通信部６２は、CPU２４にSIMカード情報を送信する。ステップＳ４３の処理の後、SIMカード５１の情報提供処理は終了する。
【０１８３】
図１７に戻り、ステップＳ２０６において、CPU２４の判定部１１４は、SIMカード情報を取得したかを判定する。
【０１８４】
ステップＳ２０６において、SIMカード情報を取得しなかったと判定された場合、ステップＳ２０３において、CPU２４の電源制御部１１２は、SIMコネクタ７１の電源供給を停止する。
【０１８５】
一方、ステップＳ２０６において、SIMカード情報を取得したと判定された場合、処理はステップＳ２０１に戻り、それ以降の処理が繰り返される。
【０１８６】
このように、検出判定回路４２１を用いることで、CPU２４の処理の量を低減することができるとともに、より簡単にSIMトレイ２１の挿抜を検出することができる。
【０１８７】
［その他］
【０１８８】
本明細書において、システムの用語は、複数の装置、手段などより構成される全体的な装置を意味するものとする。
【０１８９】
本技術の実施の形態は、上述した実施形態に限定されるものではなく、本技術の要旨を逸脱しない範囲において種々の変更が可能である。また、本技術の実施の形態は、一部の機能を他の装置が有していても良い。
【０１９０】
なお、本技術の実施の形態においては、CPU２４により各種の処理が制御されるとしたが、CPU２４とは別にＥＣ（Embedded Controller）を設け、ＥＣがCPU２４の代わりに各種の処理を制御することができる。
【０１９１】
また、本技術の実施の形態においては、SIMコネクタ７１の端子２０２と、SIMカード５１の端子３６１の数は６個としたが、端子２０２と端子３６１の数はこれに限られない。
【０１９２】
本技術は、パーソナルコンピュータの他、携帯電話機等のSIMカードを利用する情報処理装置にも適用することができる。また、SIMカード以外の格納部材をトレイに格納する場合にも本技術を適用することができる。
【０１９３】
なお、本技術は以下のような構成も取ることができる。
（１）格納部材を格納するトレイを取出す取出し部と、前記取出し部により前記トレイが取出される前に、前記トレイの取出し開始の動作を検出する取出し検出部とを備える情報処理装置。
（２）前記格納部材への電源供給を制御する電源制御部をさらに備え、前記電源制御部は、前記取出し検出部により前記トレイの取出し開始の動作が検出された場合、前記格納部材への電源供給を停止する前記（１）に記載の情報処理装置。
（３）前記トレイが挿入されたことを検出するトレイ検出部をさらに備え、前記電源制御部は、前記トレイ検出部により前記トレイが挿入されたことが検出された場合、前記格納部材への電源供給を開始する前記（２）に記載の情報処理装置。
（４）前記取出し検出部および前記トレイ検出部の検出結果に基づいて、取出し信号を出力する検出判定部をさらに備え、前記検出判定部は、前記取出し検出部により前記トレイの取出し開始の動作が検出されず、且つ前記トレイ検出部により前記トレイが挿入されたことが検出された場合、第1のレベルの前記取出し信号を出力し、前記電源制御部は、前記検出判定部により出力された前記取出し信号が前記第1のレベルである場合、前記格納部材への電源供給を開始する前記（３）に記載の情報処理装置。
（５）前記検出判定部は、前記取出し検出部により前記トレイの取出し開始の動作が検出された場合、および前記取出し検出部により前記トレイの取出し開始の動作が検出されず、且つ前記トレイ検出部により前記トレイが挿入されたことが検出されなかった場合、第２のレベルの前記取出し信号を出力し、前記電源制御部は、前記検出判定部により出力された前記取出し信号が前記第２のレベルである場合、前記格納部材への電源供給を停止する前記（４）に記載の情報処理装置。
（６）格納部材を格納するトレイを取出す取出しステップと、前記取出しステップの処理により前記トレイが取出される前に、前記トレイの取出し開始の動作を検出する取出し検出ステップとを含む情報処理方法。
（７）コンピュータに、格納部材を格納するトレイを取出す取出しステップと、前記取出しステップの処理により前記トレイが取出される前に、前記トレイの取出し開始の動作を検出する取出し検出ステップとを実行させるためのプログラムを記録したコンピュータ読み取り可能な記録媒体。
（８）コンピュータに、格納部材を格納するトレイを取出す取出しステップと、前記取出しステップの処理により前記トレイが取出される前に、前記トレイの取出し開始の動作を検出する取出し検出ステップとを実行させるためのプログラム。
【符号の説明】
【０１９４】
１  パーソナルコンピュータ，  ２１  SIMトレイ，  ５１  SIMカード，  ７１  SIMコネクタ，  ７２  取出し検出部，  ７３  トレイ検出部，  １１２  電源制御部，  ４２１  検出判定回路
【図１】
2012242949.tif 000003
【図２】
2012242949.tif 000004
【図３】
2012242949.tif 000005
【図４】
2012242949.tif 000006
【図５】
2012242949.tif 000007
【図６】
2012242949.tif 000008
【図７】
2012242949.tif 000009
【図８】
2012242949.tif 000010
【図９】
2012242949.tif 000011
【図１０】
2012242949.tif 000012
【図１１】
2012242949.tif 000013
【図１２】
2012242949.tif 000014
【図１３】
2012242949.tif 000015
【図１４】
2012242949.tif 000016
【図１５】
2012242949.tif 000017
【図１６】
2012242949.tif 000018
【図１７】
2012242949.tif 000019
【図１８】
2012242949.tif 000020